(57)【要約】【課題】測定対象に対して測定用電圧を印加しているときに地震が発生したり測定装置が不用意に移動されたりしたとしても、測定対象に対する測定用電圧の印加を短時間で確実かつ容易に停止させる。【解決手段】測定対象Ｘを流れる電流の電流値を測定する際に試験対象Ｘに印加する測定用電圧を出力する電圧出力部２と、電圧出力部２を制御して測定用電圧を出力させる処理部８と、耐圧試験器１に加えられた加速度を検出して検出信号を出力する加速度センサ５とを備え、処理部８が、耐圧試験器１に加えられた加速度の大きさを加速度データＤｇに基づいて繰り返し特定すると共に、電圧出力部２から測定用電圧が出力されている状態において予め規定された大きさ以上の加速度が耐圧試験器１に加えられたと特定したときに、電圧出力部２を制御して測定用電圧の出力を停止させる。【選択図】図１
2020020595.tif 000002
【特許請求の範囲】
【請求項１】
測定対象を流れる電流の電流値を測定する際に印加する測定用電圧を出力する電圧出力部と、
前記電圧出力部を制御して前記測定用電圧を出力させる制御部とを備えた測定装置であって、
当該測定装置に加えられた加速度を検出して検出信号を出力する加速度センサを備え、
前記制御部は、当該測定装置に加えられた加速度の大きさを前記検出信号に基づいて繰り返し特定すると共に、前記電圧出力部から前記測定用電圧が出力されている状態において予め規定された大きさ以上の加速度が当該測定装置に加えられたと特定したときに、前記電圧出力部を制御して前記測定用電圧の出力を停止させる測定装置。
【請求項２】
前記制御部は、前記予め規定された大きさ以上の加速度が当該測定装置に加えられたと特定して前記測定用電圧の出力を停止させたときに、当該測定用電圧が出力されていないことを特定可能に報知する報知処理を実行する請求項１記載の測定装置。
【請求項３】
前記制御部は、前記予め規定された大きさ以上の加速度が当該測定装置に加えられたと特定して前記測定用電圧の出力を停止させた後に当該測定用電圧の出力を規制したときに、当該測定用電圧の出力の規制を解除するまで前記報知処理を継続して実行する請求項２記載の測定装置。
【請求項４】
前記予め規定された大きさの設定および変更の操作が可能な操作部と、前記予め規定された大きさを特定可能な停止条件データの入力が可能なデータ入力部との少なくとも一方を備えている前記１から３のいずれかに記載の測定装置。
【請求項５】
前記加速度センサとしての３次元加速度センサを備え、
前記３次元加速度センサは、３つの検出軸毎に当該測定装置に加えられた加速度を検出して前記検出信号を出力し、
前記制御部は、前記３次元加速度センサから出力される前記各検出信号に基づき、当該測定装置に対していずれかの前記検出軸の方向で前記予め規定された大きさ以上の加速度が加えられたと特定したときに前記測定用電圧の出力を停止させる請求項１から４のいずれかに記載の測定装置。
【発明の詳細な説明】
【技術分野】
【０００１】
本発明は、測定用電圧を印加した状態で測定対象を流れる電流の電流値を測定可能に構成された測定装置に関するものである。
【背景技術】
【０００２】
例えば、下記の特許文献には、サージ電圧等の異常電圧に対する安全性を確認する際に使用可能な耐電圧試験装置が開示されている。この耐電圧試験装置は、交流電圧変換器、一次側巻線に交流電圧変換器の二次側出力が接続された耐電圧トランス、交流電圧変換器の二次側出力の過電流を検出するＯＣリレー、および制御装置を備えている。また、制御装置には、各種の情報を表示するディスプレイ、試験中に点灯させられる危険表示灯、および警報ブザーなどが接続されている。
【０００３】
この耐圧試験装置を使用した試験対象（電気機器）の耐電圧試験（一例として、対地間の耐電圧試験）に際しては、まず、制御装置が、所定の準備ガイダンスをディスプレイに表示させると共に、作業者によって準備完了スイッチがＯＮ操作されるまで待機する。この際には、作業者が、ガイダンスに従い、耐電圧試験用の配線以外の接続配線を試験対象から取り外すと共に、耐電圧トランスにおける二次側巻線に試験対象を接続した後に、準備完了スイッチをＯＮ操作する。
【０００４】
これに応じて、制御装置は、危険表示灯を点灯させると共に、交流電圧変換器を制御して耐電圧トランスの二次側出力電圧を徐々に昇圧させる。また、制御装置は、ＯＣリレーおよび交流電流検出器からの入力信号（測定される過電流および漏洩電流の電流値）の監視を開始し、試験対象が正常であるか否か（過電流の電流値、および漏洩電流の電流値がそれぞれ規定値以下であるか）を繰り返し特定する。
【０００５】
さらに、制御装置は、異常であると特定されずに試験対象への出力電圧が規定電圧値（試験電圧値）に達したときに、上記の入力信号の監視を継続しつつ、交流電圧変換器を制御して昇圧を停止させ、耐電圧トランスの二次側出力電圧を一定に維持させた状態で規定時間が経過するまで待機する。また、制御装置は、異常であると特定されることなく規定時間が経過したときに、交流電圧変換器を制御して耐電圧トランスの二次側出力電圧を徐々に降圧させて試験対象に対する電圧の出力を停止させる。さらに、制御装置は、危険表示灯を消灯させると共に、ディスプレイに、試験終了ガイダンスを表示させる。これにより、試験対象が良好と検査されて耐電圧試験が終了する。
【０００６】
一方、上記の耐電圧試験中（試験対象に対する電圧の出力開始から停止までの間）に、過電流または漏洩電流の少なくとも一方の電流値が規定値を超えたとき（試験対象が異常であると特定したとき）に、制御装置は、交流電圧変換器を制御して試験対象に対する電圧の出力を直ちに停止させ、かつ警報ブザーを作動させる（異常警報を出力させる）と共に、試験結果が異常であった旨をディスプレイに表示させる。また、制御装置は、異常結果を確認した作業者によって確認スイッチがＯＮ操作されたときに、危険表示灯を消灯させると共に、試験終了ガイダンス表示をディスプレイに表示させて耐電圧試験を終了する。
【先行技術文献】
【特許文献】
【０００７】
【特許文献１】特開平８−２０１４７１号公報（第３−５頁、第１−２図）
【発明の概要】
【発明が解決しようとする課題】
【０００８】
ところが、上記特許文献に開示されている耐電圧試験装置には、以下のような解決すべき問題点が存在する。具体的には、上記特許文献に開示の耐電圧試験装置では、ガイダンスに従って準備作業を行ってから準備完了スイッチを操作することによって耐電圧試験が開始されて試験対象に対して試験用の電圧が出力されると共に、異常であると特定されることなく規定時間が経過したとき、または、異常であると特定されたときに、試験対象に対する試験用の電圧の出力が停止されて耐電圧試験が終了される構成が採用されている。
【０００９】
一方、この耐電圧試験装置を使用した耐電圧試験を行っているときに大きな地震が発生して耐電圧試験装置が設置場所から移動したり、耐電圧試験を行っていることを知らない者（点灯している危険表示灯に気付かない者）が動作中の耐電圧試験装置を誤って移動させたりしたときには、試験対象に接続されている配線が試験対象から外れるおそれがある。この場合、この種の装置を使用した測定処理（上記特許文献に開示されている耐電圧試験や、絶縁抵抗測定装置による絶縁抵抗値の測定処理など）においては、測定対象（試験対象）に対して非常に高い電圧値の電圧が印加される。このため、測定処理中（耐電圧試験中）に地震が発生したり、装置が不用意に移動されたりしたときには、測定対象に対して高い電圧値の電圧を印加するために高電位となっている配線が周囲の導体や人に接する事故が発生するおそれがある。
【００１０】
したがって、この種の装置では、測定対象に対する電圧の印加を強制停止可能な（測定処理を強制終了可能な）操作ボタンが配設されたり、操作ボタンの操作中だけ測定対象に対して電圧が印加される構成（操作ボタンから手を離すと電圧の印加が停止される構成）が採用されたりしている。また、この種の装置のなかには、装置本体から配線を抜き取ることが可能に構成されたものも存在し、そのような装置を使用しているときには、配線を装置本体から抜き取ることで、高電位となっている配線が周囲の導体や人に接するのを阻止することもできる。しかしながら、地震の発生時や測定装置（耐電圧試験装置）が不用意に移動されたときに、測定対象（試験対象）に対する電圧の印加を強制停止する操作や、装置本体から配線を抜き取る動作を正確かつ迅速に実施するのは決して容易ではない。
【００１１】
本発明は、かかる解決すべき問題点に鑑みてなされたものであり、測定対象に対して測定用電圧を印加しているときに地震が発生したり測定装置が不用意に移動されたりしたとしても、測定対象に対する測定用電圧の印加を短時間で確実かつ容易に停止させることが可能な測定装置を提供することを主目的とする。
【課題を解決するための手段】
【００１２】
上記目的を達成すべく、請求項１記載の測定装置は、測定対象を流れる電流の電流値を測定する際に印加する測定用電圧を出力する電圧出力部と、前記電圧出力部を制御して前記測定用電圧を出力させる制御部とを備えた測定装置であって、当該測定装置に加えられた加速度を検出して検出信号を出力する加速度センサを備え、前記制御部は、当該測定装置に加えられた加速度の大きさを前記検出信号に基づいて繰り返し特定すると共に、前記電圧出力部から前記測定用電圧が出力されている状態において予め規定された大きさ以上の加速度が当該測定装置に加えられたと特定したときに、前記電圧出力部を制御して前記測定用電圧の出力を停止させる。
【００１３】
また、請求項２記載の測定装置は、請求項１記載の測定装置において、前記制御部は、前記予め規定された大きさ以上の加速度が当該測定装置に加えられたと特定して前記測定用電圧の出力を停止させたときに、当該測定用電圧が出力されていないことを特定可能に報知する報知処理を実行する。
【００１４】
また、請求項３記載の測定装置は、請求項２記載の測定装置において、前記制御部は、前記予め規定された大きさ以上の加速度が当該測定装置に加えられたと特定して前記測定用電圧の出力を停止させた後に当該測定用電圧の出力を規制したときに、当該測定用電圧の出力の規制を解除するまで前記報知処理を継続して実行する。
【００１５】
さらに、請求項４記載の測定装置は、請求項１から３のいずれかに記載の測定装置において、前記予め規定された大きさの設定および変更の操作が可能な操作部と、前記予め規定された大きさを特定可能な停止条件データの入力が可能なデータ入力部との少なくとも一方を備えている。
【００１６】
さらに、請求項５記載の測定装置は、請求項１から４のいずれかに記載の測定装置において、前記加速度センサとしての３次元加速度センサを備え、前記３次元加速度センサは、３つの検出軸毎に当該測定装置に加えられた加速度を検出して前記検出信号を出力し、前記制御部は、前記３次元加速度センサから出力される前記各検出信号に基づき、当該測定装置に対していずれかの前記検出軸の方向で前記予め規定された大きさ以上の加速度が加えられたと特定したときに前記測定用電圧の出力を停止させる。
【発明の効果】
【００１７】
請求項１記載の測定装置では、測定装置に加えられた加速度を検出して検出信号を出力する加速度センサを備え、制御部が、測定装置に加えられた加速度の大きさを検出信号に基づいて繰り返し特定すると共に、電圧出力部から測定用電圧が出力されている状態において予め規定された大きさ以上の加速度が測定装置に加えられたと特定したときに、電圧出力部を制御して測定用電圧の出力を停止させる。
【００１８】
したがって、請求項１記載の測定装置によれば、測定対象に対して測定用電圧を印加しているときに地震が発生したり測定装置が不用意に移動されたりしたとしても、測定装置に加えられる加速度が予め規定された大きさ以上となったときに、電圧出力部からの測定用電圧の出力が自動的に停止されるため、測定装置を操作して測定用電圧の出力を停止させたり、測定用ケーブルを測定装置の本体部から引き抜いたりすることができなくても、測定対象に対する測定用電圧の印加を短時間で確実かつ容易に停止させることができる。これにより、測定装置の移動に伴って測定用ケーブルが測定対象から外れてしまっても、感電事故などが発生するのを確実に回避することができる。
【００１９】
請求項２記載の測定装置によれば、制御部が、予め規定された大きさ以上の加速度が測定装置に加えられたと特定して測定用電圧の出力を停止させたときに、測定用電圧が出力されていないことを特定可能に報知する報知処理を実行することにより、測定装置が移動したことを認識していない使用者に対して、測定装置の移動に起因して測定処理が停止した状態となったことを確実に認識させることができる。
【００２０】
請求項３記載の測定装置によれば、制御部が、予め規定された大きさ以上の加速度が測定装置に加えられたと特定して測定用電圧の出力を停止させた後に測定用電圧の出力を規制したときに、測定用電圧の出力の規制を解除するまで報知処理を継続して実行することにより、測定装置が移動させられていることに起因して測定用電圧の出力再開ができないことを使用者に対して確実かつ容易に認識させることができる。
【００２１】
請求項４記載の測定装置によれば、「予め規定された大きさ」の設定および変更の操作が可能な操作部と、「予め規定された大きさ」を特定可能な停止条件データの入力が可能なデータ入力部との少なくとも一方を備えたことにより、「予め規定された大きさ（加速度）」の設定および変更ができない構成とは異なり、測定対象についての測定処理を実施する環境に応じて「予め規定された大きさ（加速度）」を設定・変更することで、不必要に測定処理が停止状態となったり再開できない状態となったりするのを回避できると共に、測定装置が移動させられる可能性が高い環境下であっても、測定装置の移動を確実に検出させて測定用電圧の出力を確実に停止させることができる。
【００２２】
請求項５記載の測定装置では、加速度センサとしての３次元加速度センサを備え、３次元加速度センサが、３つの検出軸毎に測定装置に加えられた加速度を検出して検出信号を出力し、制御部が、３次元加速度センサから出力される各検出信号に基づき、測定装置に対していずれかの検出軸の方向で予め規定された大きさ以上の加速度が加えられたと特定したときに測定用電圧の出力を停止させる。したがって、請求項６記載の測定装置によれば、測定装置がいずれの方向に移動させられたとしても、規定した加速度を超えるように移動させられたときには、電圧出力部からの測定用電圧の出力を確実に停止させることができる。
【図面の簡単な説明】
【００２３】
【図１】耐圧試験器１の構成図である。
【図２】耐圧試験器１Ａの構成図である。
【発明を実施するための形態】
【００２４】
以下、測定装置の実施の形態について、添付図面を参照して説明する。
【００２５】
図１に示す耐圧試験器１は、「測定装置」の一例であって、「測定対象」の一例である、試験対象Ｘについての耐圧試験を行うことができるように構成されている。この耐圧試験器１は、電圧出力部２、電圧測定部３、電流測定部４、加速度センサ５、操作部６、表示部７、処理部８および記憶部９を備えて構成されている。
【００２６】
電圧出力部２は、「電圧出力部」の一例であって、処理部８の制御に従い、測定対象Ｘを流れる電流の電流値を測定する際に試験対象Ｘに印加する高電圧の測定用電圧を生成して出力する。電圧測定部３は、電圧出力部２から出力されている測定用電圧の電圧値を測定して電圧値データＤｖを生成し、生成した電圧値データＤｖを処理部８に出力する。電流測定部４は、「電流測定部」の一例であって、電圧出力部２から出力された測定用電圧が試験対象Ｘに印加されている状態において試験対象Ｘを流れる電流の電流値を測定して電流値データＤａを生成し、生成した電流値データＤａを処理部８に出力する。
【００２７】
加速度センサ５は、「加速度センサ」の一例であって、耐圧試験器１に加えられた加速度を検出して「検出信号」の一例である加速度データＤｇを処理部８に出力する。この場合、この加速度センサ５は、３次元加速度センサで構成されており、耐圧試験器１に加えられた加速度を互いに直交する３つの検出軸（Ｘ軸、Ｙ軸およびＺ軸の３軸）毎に検出して加速度データＤｇを出力するように構成されている。なお、本例の耐圧試験器１では、一例として、耐圧試験器１の各構成要素２〜９が収容されている筐体の幅方向、奥行き方向および高さ方向の３つの方向に検出軸を一致させるようにして加速度センサ５が筐体内に配設されている（図示せず）。
【００２８】
操作部６は、「操作部」の一例であって、耐圧試験器１の動作条件を設定するための操作スイッチや、耐圧試験の開始を指示するスタートスイッチ、および耐圧試験の終了（強制終了）を指示するストップスイッチなどの操作スイッチを備え、スイッチ操作に応じた操作信号を処理部８に出力する。この操作部６は、上記の動作条件の１つとして、耐圧試験中に耐圧試験器１が移動したときに耐圧試験を自動停止させる判別基準とするしきい値（移動有無判別用のしきい値：「予め規定された大きさ」の「加速度」の一例）の設定および変更が可能に構成されている。なお、この移動有無判別用のしきい値の設定および変更については、後に具体的に説明する。表示部７は、動作条件の設定画面や試験結果の表示画面などの各種表示画面を処理部８の制御下で表示する。
【００２９】
処理部８は、「制御部」の一例であって、耐圧試験器１を総括的に制御する。この処理部８は、電圧出力部２を制御して測定用電圧を出力させると共に、電圧測定部３を制御して測定用電圧の電圧値を測定させ、かつ電流測定部４を制御して試験対象Ｘを流れている電流の電流値を測定させる。また、処理部８は、電圧測定部３から出力される電圧値データＤｖに基づき、試験対象Ｘに対して試験に必要な電圧値の測定用電圧が印加されているか否かを監視すると共に、電流測定部４から出力される電流値データＤａに基づいて試験対象Ｘを流れている電流の電流値を特定し、特定した電流値と合否判定用のしきい値データの値とを比較して、試験対象Ｘの耐圧性が良好であるか否かを判定し、判定結果を表示部７に表示させる。
【００３０】
また、処理部８は、電圧出力部２からの測定用電圧の出力が開始から停止までの間、加速度センサ５から出力される加速度データＤｇに基づき、耐圧試験器１に加えられた加速度の大きさを繰り返し特定すると共に、特定した加速度と、予め設定された上記の移動有無判別用のしきい値とを比較して、しきい値以上の加速度が耐圧試験器１に加えられたと判別したとき（「予め規定された大きさ以上の加速度が測定装置に加えられたと特定したとき」の一例）に、電圧出力部２を制御して測定用電圧の出力を停止させる処理を継続して実行する。この場合、３次元加速度センサで構成された加速度センサ５を備えた本例の耐圧試験器１では、処理部８が、耐圧試験器１に対して加えられる加速度を加速度センサ５の３つの検出軸毎に加速度データＤｇに基づいて特定すると共に、いずれかの検出軸の方向でしきい値以上の加速度が加えられたと特定したときに、電圧出力部２からの測定用電圧の出力を停止させる構成が採用されている。
【００３１】
なお、本例の耐圧試験器１における処理部８の構成とは異なり、耐圧試験器１の各構成要素２〜４，７を制御する「制御部」として機能するプロセッサと、電流値データＤａに基づいて試験対象Ｘの耐圧性を判定する「判定部」として機能するプロセッサと別個独立して設けることもできる。記憶部９は、処理部８の動作プログラムや、処理部８によって生成される動作条件データＤｃなどを記憶する。
【００３２】
次に、耐圧試験器１を使用した試験対象Ｘの耐圧試験の一例について、添付図面を参照して説明する。
【００３３】
まず、操作部６を操作することにより、試験対象Ｘに求められる耐圧性などに応じて、電流値の測定条件や、測定結果に基づいて試験対象Ｘの耐圧性の良否を判定するため良否判定用のしきい値等をそれぞれ設定する。また、耐圧試験中に地震が発生したり耐圧試験器１が移動させられたりしたときに耐圧試験を緊急停止させる（電圧出力部２からの測定用電圧の出力を停止させる）場合には、耐圧試験器１に対してどの程度の大きさの加速度が加えられたときに耐圧試験を緊急停止させるかを設定する。
【００３４】
この場合、本例の耐圧試験器１では、一例として、加速度センサ５の３つの検出軸、すなわち、耐圧試験器１の筐体の幅方向、奥行き方向および高さ方向の３つの方向を区別することなく、各方向に共通の移動有無判別用のしきい値を設定しておき、いずれかの方向で、設定したしきい値以上の加速度が耐圧試験器１に対して加わるように耐圧試験器１が移動させられたときに耐圧試験を緊急停止させる第１の動作モードと、耐圧試験器１の筐体の幅方向、奥行き方向および高さ方向の３つの方向毎に移動有無判別用のしきい値を別個に設定しておき、いずれかの方向で、対応するしきい値以上の加速度が耐圧試験器１に対して加わるように耐圧試験器１が移動させられたときに耐圧試験を緊急停止させる第２の動作モードとのいずれかを任意に選択することができるように構成されている。
【００３５】
したがって、例えば室内で試験対象Ｘについての耐圧試験を実施する際には、第１の動作モードで動作させるために、各方向に共通の移動有無判別用のしきい値を設定する。また、例えば走行中の車両内で試験対象Ｘについての耐圧試験を実施する際には、第２の動作モードで動作させるために、耐圧試験器１に対して加わる横揺れの存在を考慮して、耐圧試験器１の筐体の幅方向および奥行き方向についての移動有無判別用のしきい値を大きな値に設定し、耐圧試験器１の筐体の高さ方向（すなわち、耐圧試験器１が設置場所から持ち上げられる方向）についての移動有無判別用のしきい値を小さな値に設定する。
【００３６】
また、本例の耐圧試験器１では、移動有無判別用のしきい値、すなわち、耐圧試験を緊急停止させるか否かを判別する基準とする加速度を数値入力する設定方法に加え、「耐圧試験器１が移動させられたか否かの検出感度」を示すスクロールバーを表示部７に表示させ、操作部６の操作によって「検出感度：低」側にバーが移動させられたときに、しきい値としての加速度が大きな値に設定され、「検出感度：高」側にバーが移動させられたときに、しきい値としての加速度が小さな値に設定される設定方法を選択することができるように構成されている。
【００３７】
さらに、本例の耐圧試験器１では、移動有無判別用のしきい値を設定する動作条件設定画面において、耐圧試験の緊急停止を行わないよう設定したり、上記のしきい値として「加速度：０」または「加速度：設定可能な最大値」のいずれかを設定したり、「検出感度」を示すスクロールバーで「検出感度：最低」の位置にバーを移動させたりすることにより、耐圧試験器１が移動させられても耐圧試験を緊急停止させない第３の動作モードで操作させることも可能となっている。これにより、耐圧試験器１が移動させられることを使用者が承知している環境下においては、耐圧試験器１が移動させられても耐圧試験を継続させることが可能となっている。なお、本例では、上記の第１の動作モードでの動作を希望した使用者が、上記の３つの方向に共通の移動有無判別用のしきい値を設定したものとする。これに応じて、処理部８は、動作条件データＤｃを生成して記憶部９に記憶させる。
【００３８】
次いで、測定用ケーブルを介して電圧出力部２および電流測定部４を試験対象Ｘに接続する。以上により、試験対象Ｘについての耐圧試験を開始する準備が整う。続いて、操作部６にスタートスイッチの操作によって耐圧試験の開始を指示する。これに応じて、処理部８は、電圧出力部２を制御して、予め設定された測定条件に対応する電圧値の測定用電圧を出力させる。これにより、試験対象Ｘの両端間に電圧出力部２から出力された測定用電圧が印加された状態となる。また、処理部８は、電圧測定部３を制御して電圧出力部２から出力される測定用電圧の電圧値を測定させ、かつ、電流測定部４を制御して試験対象Ｘを流れる電流の電流値を測定させる。
【００３９】
さらに、処理部８は、電圧測定部３から出力される電圧値データＤｖに基づき、試験に必要な電圧値の測定用電圧が試験対象Ｘに印加されているか否かを監視すると共に、電流測定部４から出力される電流値データＤａに基づき、試験対象Ｘを流れている電流の電流値を特定して表示部７に表示させる。なお、本例の耐圧試験器１では、予め規定された試験時間に亘って上記のような測定結果（電流値データＤａの電流値）の特定および表示の処理が繰り返し実行される。
【００４０】
また、例えば、表示部７に表示された電流値を見た使用者が、試験を継続する必要がないと判断して（良好な耐圧性を有する試験対象Ｘにおいて測定されない大きな電流値が測定されたと判断して）ストップスイッチを操作したときには、処理部８は、最新の電流値データＤａの値（電流値）を試験対象Ｘについての測定結果として保持して、耐圧試験を終了する。さらに、ストップスイッチが操作されることなく、予め規定された試験時間が経過したときには、処理部８が、電流値データＤａに基づいて特定した電流値と、良否判定用のしきい値とを比較し、電流値がしきい値以下のときには、試験対象Ｘの耐圧性が良好であると判定すると共に、電流値がしきい値を超えたときには、試験対象Ｘの耐圧性が不良であると判定する。また、処理部８は、判定結果を表示部７に表示させて、試験対象Ｘについての耐圧試験を終了する。
【００４１】
一方、前述したように移動有無判別用のしきい値が設定されて第１の動作モードで動作させるときには、処理部８は、前述したようにスタートスイッチが操作された時点（すなわち、電圧出力部２からの測定用電圧の出力を開始させた時点）から、ストップスイッチが操作された時点、または予め規定された試験時間が経過した時点（すなわち、試験終了のために電圧出力部２からの測定用電圧の出力を停止させた時点）まで、加速度センサ５から出力される加速度データＤｇに基づいて耐圧試験器１が設定された加速度よりも大きな加速度が加わるように移動させられたか否かを監視する。
【００４２】
この場合、耐圧試験が終了する前に地震が発生したり、耐圧試験器１が移動させられたりしたときには、加速度センサ５から出力される加速度データＤｇの値が大きな値となる。この際に、加速度データＤｇの値がしきい値以上の大きさになったと特定したとき（「電圧出力部から測定用電圧が出力されている状態において予め規定された大きさ以上の加速度が測定装置に加えられたと特定したとき」の一例）、すなわち、測定用ケーブルが試験対象Ｘから外れる可能性がある程度に耐圧試験器１が大きく移動させられたときに、処理部８は、まず、電圧出力部２を制御して測定用電圧の出力を停止させる。これにより、耐圧試験器１の移動に起因して試験対象Ｘから測定用ケーブルが外れたとしても、感電事故等が発生する事態が確実に回避される。
【００４３】
また、処理部８は、電圧出力部２からの測定用電圧の出力停止と同時（「予め規定された大きさ以上の加速度が測定装置に加えられたと特定して測定用電圧の出力を停止させたとき」の一例）に、一例として、図示しないスピーカから予め規定された警告音を出力する（「測定用電圧が出力されていないことを特定可能に報知する報知処理」の一例）と共に、一例として、「装置の移動を検出したため、耐圧試験を緊急停止しました。」とのメッセージを表示部７に表示させる（「報知処理」の他の一例）。これにより、警告音を聞いたりメッセージを見たりした使用者は、耐圧試験器１の移動に伴って耐圧試験が自動的に停止して、電圧出力部２から測定用電圧が出力されていない状態になったと認識する。
【００４４】
この場合、本例の処理部８では、一例として、上記の警告音、および表示部７に表示されたメッセージ（報知処理）について、後述するように、加速度データＤｇの値がしきい値を下回った状態で試験の再開を指示されるまで継続して実行される。したがって、使用者が耐圧試験中に表示部７を見ていなかったり、警告音の出力に気付けなかったりしたとしても、耐圧試験の試験結果を確認するために表示部７を見たときや、警告音の出力に気付いたときに、耐圧試験器１の移動に伴って耐圧試験が緊急停止したと認識することが可能となっている。
【００４５】
また、本例の耐圧試験器１では、上記のように、測定用電圧の出力を停止させ、警告音の出力およびメッセージの表示を行った後にも、処理部８が、設定された加速度よりも大きな加速度が加わるように耐圧試験器１が移動させられているか否かの監視を継続する。また、処理部８は、加速度データＤｇの値がしきい値を下回る状態になったと特定する状態（「測定装置に加えられた加速度が予め規定された大きさを下回る大きさであると特定する状態」の一例）となるまで、電圧出力部２からの測定用電圧の出力を規制する。したがって、例えば、耐圧試験中（耐圧試験の終了前）に耐圧試験器１を持ち上げた者が誤ってスタートスイッチを操作したとしても、耐圧試験が開始される事態（電圧出力部２から測定用電圧が出力される事態）が好適に回避される。
【００４６】
この場合、本例の耐圧試験器１では、加速度データＤｇの値がしきい値以上であることで上記のように電圧出力部２からの測定用電圧の出力を規制しているとき（すなわち、耐圧試験器１が移動させられているとき）に、スタートスイッチが操作されたときには、前述の警告メッセージに代えて、一例として「装置の移動中は耐圧試験を実施できません。」とのメッセージを表示部７に表示させる。これにより、継続的に出力されている警告音を聞いたり、表示部７のメッセージを見たりした使用者は、耐圧試験を再開できない理由（耐圧試験器１が、移動（揺れ）を検知しており、耐圧試験を再開できないとの事項）を把握する。
【００４７】
一方、耐圧試験器１に加えられる加速度がしきい値を下回る状態となったときに、処理部８は、警告音については出力を停止させるが、表示部７に表示させた「装置の移動を検出したため、耐圧試験を緊急停止しました。」とのメッセージ（測定用電圧の出力停止後、スタートスイッチが操作されなかったとき）、または「装置の移動中は耐圧試験を実施できません。」とのメッセージ（測定用電圧の出力停止後、スタートスイッチが操作されたとき）については、スタートスイッチの操作によって耐圧試験の再開を指示されるまで継続して表示させる。つまり、本例の耐圧試験器１では、耐圧試験器１に加えられる加速度がしきい値を下回る状態となるまで警告音の出力およびメッセージの表示が継続して実行され（「測定用電圧の出力の規制を解除するまで報知処理を継続して実行する」との動作の他の一例）、しきい値を下回る加速度になっても、メッセージの表示は継続される。なお、上記の構成とは異なり、耐圧試験器１に加えられる加速度がしきい値を下回る状態となっても、メッセージの表示と共に警告音の出力を継続する構成を採用することもできる。
【００４８】
また、処理部８は、耐圧試験器１に加えられる加速度がしきい値を下回っている状態でスタートスイッチの操作によって耐圧試験の開始（再開）を指示されたときに、上記のメッセージを非表示とし、かつ測定用電圧の出力の規制を解除して電圧出力部２から測定用電圧を出力させる（「測定用電圧の出力の規制を解除するまで報知処理を継続して実行する」との動作の一例）。さらに、処理部８は、電圧測定部３を制御して電圧出力部２から出力される測定用電圧の電圧値を測定させ、かつ、電流測定部４を制御して試験対象Ｘを流れる電流の電流値を測定させると共に、加速度センサ５から出力される加速度データＤｇに基づいて、設定された加速度よりも大きな加速度が加わるようにして耐圧試験器１が移動させられたか否かの監視を再び開始する。
【００４９】
なお、測定用ケーブルが試験対象Ｘから外れることがない程度に耐圧試験器１が移動しただけで、耐圧試験が緊急停止してしまったり、耐圧試験を再開できない状態になったりしたときには、移動有無判別用のしきい値を大きな値に変更してから耐圧試験を再び実行することで、使用者が意図しない緊急停止を回避することができる。
【００５０】
このように、この耐圧試験器１では、耐圧試験器１に加えられた加速度を検出して加速度データＤｇを出力する加速度センサ５を備え、処理部８が、耐圧試験器１に加えられた加速度の大きさを加速度データＤｇに基づいて繰り返し特定すると共に、電圧出力部２から測定用電圧が出力されている状態において予め規定された大きさ以上の加速度が耐圧試験器１に加えられたと特定したときに、電圧出力部２を制御して測定用電圧の出力を停止させる。
【００５１】
したがって、この耐圧試験器１によれば、試験対象Ｘに対して測定用電圧を印加しているときに地震が発生したり耐圧試験器１が不用意に移動されたりしたとしても、耐圧試験器１に加えられる加速度が予め設定された移動有無判別用のしきい値以上となったときに、電圧出力部２からの測定用電圧の出力が自動的に停止されるため、耐圧試験器１を操作して測定用電圧の出力を停止させたり、測定用ケーブルを耐圧試験器１の本体部から引き抜いたりすることができなくても、試験対象Ｘに対する測定用電圧の印加を短時間で確実かつ容易に停止させることができる。これにより、耐圧試験器１の移動に伴って測定用ケーブルが試験対象Ｘから外れてしまっても、感電事故などが発生するのを確実に回避することができる。
【００５２】
また、この耐圧試験器１によれば、処理部８が、予め規定された大きさ以上の加速度が耐圧試験器１に加えられたと特定して測定用電圧の出力を停止させたときに、耐圧試験器１に加えられた加速度が予め規定された大きさを下回る大きさであると特定する状態となるまで電圧出力部２からの測定用電圧の出力を規制することにより、例えば、耐圧試験器１が移動したことを認識していない使用者が耐圧試験器１による耐圧試験を再開させようとしても、耐圧試験器１が移動していない状態となるまで電圧出力部２から測定用電圧が出力されないため、感電事故などが発生するのを一層確実に回避することができる。
【００５３】
さらに、この耐圧試験器１によれば、処理部８が、予め規定された大きさ以上の加速度が耐圧試験器１に加えられたと特定して測定用電圧の出力を停止させたときに、測定用電圧が出力されていないことを特定可能に報知する「報知処理（本例では、警告音の出力およびメッセージの表示）」を実行することにより、耐圧試験器１が移動したことを認識していない使用者に対して、耐圧試験器１の移動に起因して耐圧試験が停止した状態となったことを確実に認識させることができる。
【００５４】
また、この耐圧試験器１によれば、処理部８が、予め規定された大きさ以上の加速度が耐圧試験器１に加えられたと特定して測定用電圧の出力を停止させた後に測定用電圧の出力を規制したときに、測定用電圧の出力の規制を解除するまで「報知処理」を継続して実行することにより、耐圧試験器１が移動させられていることに起因して測定用電圧の出力再開（耐圧試験の再開）ができないことを使用者に対して確実かつ容易に認識させることができる。
【００５５】
さらに、この耐圧試験器１によれば、「予め規定された大きさ」の一例である「移動有無判別用のしきい値」の設定および変更の操作が可能な操作部６を備えたことにより、「移動有無判別用のしきい値」の設定および変更ができない構成とは異なり、試験対象Ｘについての耐圧試験を実施する環境に応じて「移動有無判別用のしきい値」を設定・変更することで、不必要に耐圧試験が停止状態となったり再開できない状態となったりするのを回避できると共に、耐圧試験器１が移動させられる可能性が高い環境下であっても、耐圧試験器１の移動を確実に検出させて測定用電圧の出力を確実に停止させることができる。
【００５６】
また、この耐圧試験器１では、「加速度センサ」としての「３次元加速度センサ」で構成された加速度センサ５を備え、加速度センサ５が、３つの検出軸毎に耐圧試験器１に加えられた加速度を検出して加速度データＤｇを出力し、処理部８が、加速度センサ５から出力される各加速度データＤｇに基づき、耐圧試験器１に対していずれかの検出軸の方向で予め規定された大きさ以上の加速度が加えられたと特定したときに測定用電圧の出力を停止させる。したがって、この耐圧試験器１によれば、耐圧試験器１がいずれの方向に移動させられたとしても、規定した加速度を超えるように移動させられたときには、電圧出力部２からの測定用電圧の出力を確実に停止させることができる。
【００５７】
なお、「測定装置」の構成は、上記の耐圧試験器１の構成の例に限定されない。例えば、「加速度センサ」としての加速度センサ５からの加速度データＤｇに基づいて「制御部」を構成する処理部８が耐圧試験器１に加えられた加速度の特定およびしきい値との比較や、電圧出力部２からの測定用電圧の出力停止を実行する構成の耐圧試験器１を例に挙げて説明したが、電流値データＤａに基づく電流値の特定、および特定した電流値と良否判定用しきい値との比較（良否判定）を行う処理部８とは別個の構成要素が、耐圧試験器１に加えられた加速度の特定、および特定した加速度としきい値との比較や、電圧出力部２からの測定用電圧の出力停止を実行する構成を採用することもできる。
【００５８】
具体的には、図２に示す耐圧試験器１Ａは、「測定装置」の他の一例であって、前述の耐圧試験器１と同様にして試験対象Ｘについての耐圧試験（電流値の測定、および測定値と良否判定用しきい値との比較による良否判定）を行うことができるように構成されている。この耐圧試験器１は、電圧出力部２、電圧測定部３、電流測定部４、加速度センサ５、操作部６、表示部７、処理部８、記憶部９および検出部１０を備えて構成されている。なお、この耐圧試験器１Ａにおいて耐圧試験器１の構成要素と同様の機能を有する構成要素については、同一の符号を付して重複する説明を省略する。
【００５９】
この耐圧試験器１Ａでは、耐圧試験器１における処理部８が行っていた各処理のうち、耐圧試験器１に加えられた加速度の特定、および特定した加速度としきい値との比較や、電圧出力部２からの測定用電圧の出力停止を実行する処理について検出部１０が実行する構成が採用されている。具体的には、この耐圧試験器１Ａでは、一例として、検出部１０が、コンパレータ等の比較器を備えて構成されている。
【００６０】
この検出部１０は、処理部８によって指定されたしきい値（一例として、前述したように操作部６の操作によって指定された「移動有無判別用のしきい値」が記録された動作条件データＤｃの値）と、加速度センサ５から出力される加速度データＤｇの値とを比較し、加速度データＤｇの値がしきい値以上の大きさになったと特定したとき（「電圧出力部から測定用電圧が出力されている状態において予め規定された大きさ以上の加速度が測定装置に加えられたと特定したとき」の一例）に、電圧出力部２に緊急停止信号を出力することで測定用電圧の出力を停止させる。これにより、前述した耐圧試験器１と同様にして、耐圧試験器１の移動に起因して試験対象Ｘから測定用ケーブルが外れたとしても、感電事故等が発生する事態が確実に回避される。
【００６１】
なお、この耐圧試験器１では、加速度センサ５からの加速度データＤｇが処理部８にも出力されており、処理部８は、検出部１０が電圧出力部２からの測定用電圧の出力を停止させるのと同時に、前述した耐圧試験器１と同様にして、耐圧試験を緊急停止した旨の報知（警告音の出力およびメッセージの表示：「報知処理」の一例）を実行する。また、処理部８は、前述した耐圧試験器１と同様にして、加速度データＤｇの値がしきい値を下回る状態になったと特定する状態（「測定装置に加えられた加速度が予め規定された大きさを下回る大きさであると特定する状態」の一例）となるまで、電圧出力部２からの測定用電圧の出力を規制すると共に「報知処理」を継続して実行する。
【００６２】
したがって、この耐圧試験器１Ａによれば、前述した耐圧試験器１と同様にして、試験対象Ｘに対して測定用電圧を印加しているときに地震が発生したり耐圧試験器１Ａが不用意に移動されたりしたとしても、耐圧試験器１に加えられる加速度が予め設定された移動有無判別用のしきい値以上となったときに、電圧出力部２からの測定用電圧の出力が自動的に停止されるため、耐圧試験器１Ａを操作して測定用電圧の出力を停止させたり、測定用ケーブルを耐圧試験器１Ａの本体部から引き抜いたりすることができなくても、試験対象Ｘに対する測定用電圧の印加を短時間で確実かつ容易に停止させることができる。これにより、耐圧試験器１Ａの移動に伴って測定用ケーブルが試験対象Ｘから外れてしまっても、感電事故などが発生するのを確実に回避することができる。
【００６３】
また、操作部６の操作によって「予め規定された大きさ」の一例である「移動有無判別用のしきい値」を設定可能な構成を例に挙げて説明したが、このような構成に代えて（または、このような構成に加えて）、外部装置によって設定した「予め規定された大きさ（移動有無判別用のしきい値）」を特定可能な動作条件データＤｃを、通信回線やリムーバブルメモリを介して耐圧試験器１，１Ａに入力し、入力した動作条件データＤｃに基づいて、耐圧試験器１に加えられた加速度としきい値との比較や、電圧出力部２からの測定用電圧の出力停止を実行する処理を実行する構成を採用することもできる。なお、上記の例において通信回線を介して動作条件データＤｃを入力可能とする場合には、通信回線に接続可能な通信部が「データ入力部」に相当し、リムーバブルメモリを介して動作条件データＤｃを入力可能とする場合には、リムーバブルメモリの装着部（メモリ装着用スロット）が「データ入力部」に相当する（いずれも図示せず）。
【００６４】
また、測定用電圧の出力を停止させた後に、耐圧試験器１，１Ａに加えられる加速度がしきい値を下回る状態でスタートスイッチが操作されたときに耐圧試験を再開する構成を例に挙げて説明したが、このような構成に代えて、加速度がしきい値を下回る状態において予め規定された警告解除操作の後にスタートスイッチが操作されたときに耐圧試験を再開する構成を採用することもできる。具体的には、一例として、耐圧試験器１に加えられる加速度がしきい値を下回る状態で警告解除操作が行われたときに、メッセージを非表示とし（警告音の出力を継続させているときには警告音の出力も停止させ）、スタートスイッチの操作によって耐圧試験を再開することが可能な状態とするよう構成することができる。
【００６５】
さらに、検出される加速度がしきい値を下回る状態でスタートスイッチの操作（または、警告解除操作）が行われるまで「報知処理」を継続して実行する構成を例に挙げて説明したが、検出された加速度がしきい値以上となったときに、予め規定された時間だけ「報知処理」を実行する構成（規定された時間が経過したときに「報知処理」を終了する構成）を採用することもできる。また、「報知処理」として、メッセージの表示、および警告音の出力の双方を実行する構成に代えて、メッセージの表示、および警告音の出力のいずれか一方だけを実行する構成を採用することもできる。
【００６６】
さらに、「加速度センサ」としての「３次元加速度センサ」で構成された加速度センサ５を備えた例について説明したが、このような構成に代えて、「１次元加速度センサ」および「２次元加速度センサ」や、「４次元以上の多次元加速度センサ」を「加速度センサ」として備えて「測定装置」を構成することもできる。また、試験対象Ｘに対して測定用電圧を印加した状態で測定される電流値に基づいて試験対象の耐圧性の良否を判定する構成の測定装置（試験器）を例に挙げて説明したが、測定用電圧の電圧値、および測定した電流値に基づいて絶縁抵抗値を演算し、演算した絶縁抵抗値に基づいて試験対象の絶縁状態の良否を判定する測定装置（絶縁抵抗試験器）において「加速度センサ」の検出信号に基づいて測定用電圧の出力を停止させる構成を採用することもできる。
【００６７】
加えて、試験対象Ｘについての耐圧試験を実行可能な「耐圧試験器」の構成を例に挙げて説明したが、「測定装置」は「試験器（測定結果に基づいて良否判定を行う機能を有する測定装置）」に限定されず、測定結果に基づく良否判定を行わずに、少なくとも「測定用電圧を印加した状態で測定対象を流れる電流の電流値を測定する処理」を実行する各種の装置がこれに含まれる。
【符号の説明】
【００６８】
１，１Ａ  耐圧試験器
２  電圧出力部
３  電圧測定部
４  電流測定部
５  加速度センサ
６  操作部
７  表示部
８  処理部
９  記憶部
１０  検出部
Ｄａ  電流値データ
Ｄｃ  動作条件データ
Ｄｇ  加速度データ
Ｄｖ  電圧値データ
Ｘ  試験対象
【図１】
2020020595.tif 000003
【図２】
2020020595.tif 000004